(57)【要約】【課題】エンジン駆動型発電機の防音箱に設けた出力端子箱内に複数の配線接続部を上下に並べて配置した場合であっても，上段側配線接続部に接続された配線ケーブルが下段側配線接続部と接触することを防止する。【解決手段】出力端子箱３内の下段側に収容された下段側配線接続部５０の前方及び／又は前記下段側配線接続部５０の前方の僅かに上方位置において前記出力端子箱３内に水平方向に架設された横架材４０を設け，この横架材４０の上方位置において出力端子箱３の上段側に収容された上段側配線接続部８２に接続された配線ケーブルＤＨを機外側に引き出すことで，上段側配線接続部８２に接続された配線ケーブルＤＨと下段側配線接続部５０との間に前記横架材４０を介在させることで，配線ケーブルＤＨと下段側配線接続部５０との接触を回避する。【選択図】図４
2020120557.tif 000002
【特許請求の範囲】
【請求項１】
発電機本体と，該発電機本体を駆動するエンジンを収容する防音箱に，該防音箱の側壁に形成された凹部から成る出力端子箱を設け，前記出力端子箱内の上段側に機外に向けて収容された上段側配線接続部と，前記出力端子箱内の下段側に機外に向けて収容された下段側配線接続部をそれぞれ前記発電機本体に接続し，前記上段側配線接続部と前記下段側配線接続部を介して機外からの配線ケーブルを，前記発電機本体に接続可能としたエンジン駆動型発電機において，
前記下段側配線接続部の前方，及び／又は前記下段側配線接続部の前記前方の僅かに上方の位置において前記出力端子箱内に水平方向に架設されて，前記上段側配線接続部に接続された配線ケーブルと前記下段側配線接続部との間に介設される横架材を設けたことを特徴とするエンジン駆動型発電機。
【請求項２】
前記上段側配線接続部が負荷保護用遮断器であり，前記下段側配線接続部が三相出力端子台である請求項１記載のエンジン駆動型発電機。
【請求項３】
前記横架材が，前記下段側配線接続部の前方を覆う板状の保護カバーである請求項１又は２記載のエンジン駆動型発電機。
【請求項４】
前記横架材が棒状のブラケットである請求項１又は２記載のエンジン駆動型発電機。
【請求項５】
前記横架材を，板状の保護カバーと棒状のブラケットにより構成し，
前記保護カバーを前記下段側配線接続部の前方を覆う位置に設けると共に，
前記ブラケットを，前記上段側配線接続部に接続された配線ケーブルを前記ブラケットに結束する結束具の通過許容間隔を介して，前記保護カバーの上方に隣接して配置することを特徴とする請求項１又は２記載のエンジン駆動型発電機。
【請求項６】
前記保護カバーが透明である請求項３又は５記載のエンジン駆動型発電機。
【請求項７】
前記上段側配線接続部又は前記下段側配線接続部のいずれか一方を選択的に前記発電機本体に接続する切換器を設けたことを特徴とする請求項１〜６いずれか１項記載のエンジン駆動型発電機。
【請求項８】
前記出力端子箱の下端開口縁側の所定範囲を除き該出力端子箱を機外側より覆う開閉扉を設け，前記横架材と前記開閉扉間に，前記上段側配線接続部に接続した配線ケーブルの挿通路を形成すると共に，前記出力端子箱の下端開口縁と前記開閉扉の下端縁間に，前記上段側配線接続部に接続された配線ケーブルと，下段側配線接続部に接続された配線ケーブルに共通の引出口を形成したことを特徴とする請求項１〜７いずれか１項記載のエンジン駆動型発電機。
【請求項９】
前記負荷保護用遮断器に設けた出力端子の合計数に対応する数の端子をそれぞれ独立して交換可能に組み合わせて形成した組端子台を設け，該組端子台を介して前記各負荷保護用遮断器に対し配線ケーブルを接続可能とした請求項２記載のエンジン駆動型発電機。
【発明の詳細な説明】
【技術分野】
【０００１】
本発明は，防音箱内に発電機本体と，この発電機本体を駆動するエンジン，その他の構成機器を収容したパッケージ型のエンジン駆動型発電機において，前記発電機本体で発生した電力を機外に設けた負荷に供給するための配線を接続する配線接続部の構造に特徴を有するエンジン駆動型発電機に関する。
【背景技術】
【０００２】
発電機本体と，この発電機本体を駆動するためのエンジン，燃料タンク，その他の必要な機器を防音箱内に収容してパッケージ化した可搬式のエンジン駆動型発電機は，工事現場やイベント会場，災害の被災地等において電力を得るために広く用いられている。
【０００３】
このようなエンジン駆動型発電機１００では，三相交流発電機である発電機本体Ｇによって発電された電力を，各種の作業機等である負荷に給電することができるように，防音箱１０２の一部に凹部を設けて出力端子箱１０３を形成し，この出力端子箱１０３内に三相出力端子台１５０を収容し，この三相出力端子台１５０に設けた三相出力端子１５１に配線ケーブルＤを接続することにより，電力を水中ポンプ等の外部機器（負荷Ｌ１〜Ｌ３）に供給することができるように構成されている（図７及び図８参照）。
【０００４】
そして，エンジン駆動型発電機１００と負荷（Ｌ１〜Ｌ３）との接続，特に複数の負荷を接続する場合には，エンジン駆動型発電機１００と負荷Ｌ１〜Ｌ３の間に分電盤１８０を設けて電力を分配供給することにより（特許文献１の図１参照），この分電盤１８０によって，例えば短絡や地絡，その他の回路異常によって一部の回路に過電流が流れた際に，正常な回路に対する給電を維持しつつ，異常が生じている回路に対する給電を停止する保護協調を行うことができるものとしている。
【０００５】
この分電盤１８０には，一例として図９に示すように三相入力端子１８１ａを備えた主遮断器１８１と，この主遮断器１８１より分岐した分岐回路にそれぞれ接続された複数の負荷保護用遮断器１８２が設けられており，エンジン駆動型発電機１００の出力端子箱１０３内に設けた三相出力端子台１５０の三相出力端子１５１と，分電盤１８０の主遮断器１８１に設けた三相入力端子１８１ａ間を配線ケーブルＤによって接続すると共に，各負荷保護用遮断器１８２に設けた三相出力端子１８２ａに，例えば水中ポンプ等の負荷（Ｌ１〜Ｌ３）を接続することによって，エンジン駆動型発電機１００と負荷（Ｌ１〜Ｌ３）との接続が行われている。
【０００６】
以上のように構成された分電盤１８０を例えば建築現場等に配置する場合には，エンジン駆動型発電機１００の設置位置の近傍に予め分電盤スタンド１９０を立設しておき，この分電盤スタンド１９０に対して分電盤１８０を固定することにより設置する。
【０００７】
そのため，エンジン駆動型発電機１００の移動に際しては，エンジン駆動型発電機１００に接続されている配線ケーブルＤを一旦，全て取り外し，移動が完了した後，再度，エンジン駆動型発電機１００と分電盤１８０とを配線ケーブルＤによって接続する必要があるため，移動等の作業が煩雑である。
【０００８】
しかも，移動，設置に際し，別体として構成されたエンジン駆動型発電機１００と分電盤１８０は，それぞれ別個に移動，設置する作業が必要であり，移動に際して多大な労力が費やされると共に，エンジン駆動型発電機１００と分電盤１８０それぞれの設置スペースを確保する必要があることから，比較的広い設置スペースが必要となる。
【０００９】
上記の欠点を解消するために，防音箱１０２の壁面に凹部を形成して出力端子箱１０３としたエンジン駆動型発電機１００において，この出力端子箱１０３内に，三相出力端子台１５０の他に，分電盤１８０に設けられていた複数の負荷保護用遮断器１８２を収容することで，エンジン駆動型発電機１００に，前述した分電盤１８０に対応する機能を持たせたものも提案されている（特許文献２参照）。
【先行技術文献】
【特許文献】
【００１０】
【特許文献１】特開２０００−４１３３９号公報
【特許文献２】特開２０１０−６８６９３号公報
【発明の概要】
【発明が解決しようとする課題】
【００１１】
以上で特許文献２として紹介した従来のエンジン駆動型発電機１００では，図１０に示すように出力端子箱１０３内の高さ方向における所定位置よりも上方を，負荷保護用遮断器１８２を収容する上段側収容部１０３ｘと成すと共に，前記所定位置よりも下方を，三相出力端子台１５０を収容する下段側収容部１０３ｙとしている。
【００１２】
そして，上段側収容部１０３ｘに収容した負荷保護用遮断器１８２に接続された配線ケーブルＤＨと，下段側収容部１０３ｙに収容した三相出力端子台１５０に接続された配線ケーブルＤＬのいずれとも，出力端子箱１０３の下端縁１０３ａ付近に設けた引出口１０７を介して機外に引き出す構成としている。
【００１３】
その結果，負荷Ｌ１〜Ｌ３の配置によっては，上段側収容部１０３ｘの負荷保護用遮断器１８２に接続された配線ケーブルＤＨが，下段側収容部１０３ｙの三相出力端子台１５０に設けた三相出力端子１５１と接触する場合があり，このような接触が生じている状態で長時間にわたりエンジン駆動型発電機１００の振動で配線ケーブルＤＨと三相出力端子１５１とが擦れ続けると，配線ケーブルＤＨの導電性コアを覆っているシースや絶縁材が破損する等して導電性コアと三相出力端子１５１とが接触して短絡事故を起こすおそれがある。
【００１４】
特に，上段側収容部１０３ｘに収容された負荷保護用遮断器１８２に接続された配線ケーブルＤＨは，垂れ下がる長さも長いためエンジンや発電機本体等で発生した振動によって容易に揺動し，この揺動が負荷保護用遮断器１８２の出力端子１８２ａに伝達されて，出力端子１８２ａに配線ケーブルＤＨを固定しているネジやナットに緩みを生じさせ易く，このような緩みの発生は，通電時，出力端子１８２ａと配線ケーブルＤＨ間の抵抗を高め発熱を生じさせる原因となると共に，ネジやナットが緩んだ状態で配線ケーブルＤＨが揺動することで，出力端子１８２ａが破損し易くなる。
【００１５】
また，負荷保護用遮断器１８２と三相出力端子台１５０が上下に配置されていることから，負荷保護用遮断器１８２と三相出力端子台１５０を共に同一垂直平面上に配置する場合，負荷保護用遮断器１８２に接続された配線ケーブルＤＨと，三相出力端子台１５０に接続された配線ケーブルＤＬが一部同じ場所を通って引出口１０７に至るため，負荷保護用遮断器１８２と三相出力端子台１５０の双方に，同時に配線ケーブルＤＨ，ＤＬを接続しておくことができず，負荷保護用遮断器１８２を介した出力と，三相出力端子台１５０を介した出力間で変更を行う度に配線ケーブルをつなぎ直す必要があり煩雑である。
【００１６】
このような煩雑さを回避するために，前掲の特許文献２には，図１０に示すように，出力端子箱１０３に段部１０３ｚを設けて三相出力端子台１５０を収容する下段側収容部１０３ｙの奥行を，機内側に拡張することで，負荷保護用遮断器１８２と三相出力端子台１５０の双方に同時に配線ケーブルＤＨ，ＤＬを接続した場合であっても，両配線ケーブルＤＨ，ＤＬが干渉しないようにすることも開示している。
【００１７】
しかし，上記の構成では，出力端子箱１０３の奥行を拡張させた分，防音箱１０２内に収容されている内部機器との干渉を避けるために防音箱１０２内に収容されている機器の配置の見直しや，防音箱１０２の大型化が必要となる場合がある。
【００１８】
しかも，このようにして配線ケーブルＤＨ，ＤＬをつないだままの状態とすることができたとしても，負荷保護用遮断器１８２に接続された配線ケーブルＤＨと，三相出力端子台１５０に接続された配線ケーブルＤＬが分けられることなく混在しているため，一目見ただけでは配線状態を確認することが難しい。
【００１９】
なお，前掲の特許文献２を参照した説明では，出力端子箱１０３の上段側収容部１０３ｘに負荷保護用遮断器１８２を収容してこれを上段側の配線接続部と成すと共に，下段側収容部１０３ｙに三相出力端子台１５０を収容して下段側の配線接続部とした構成について説明したが，負荷保護用遮断器１８２と三相出力端子台１５０の配置を上下逆転させた場合には，更に上段側に配置された三相出力端子台１５０に接続された配線ケーブルが，下段側に配置された負荷保護用遮断器１８２のスイッチレバーに当たってスイッチを切り換えてしまう等の問題が生じる場合があり，また，負荷保護用遮断器１８２と三相出力端子台１５０の他，単相出力端子台や単相出力コンセント等の他の配線接続部を，前述した負荷保護用遮断器１８２や三相出力端子台１５０，その他の配線接続部の上方又は下方に配置した場合にも，同様の問題が生じ得る。
【００２０】
そこで本発明は，上記従来技術における欠点を解消するために成されたものであり，比較的簡単な構成でありながら，エンジン駆動型発電機の防音箱に形成した出力端子箱内に複数の配線接続部を上下方向に並べて配置した構成を採用した場合であっても，上段側の配線接続部に接続された配線ケーブルが，下段側の配線接続部と接触することを防止して，短絡事故等の発生を防止し得るエンジン駆動型発電機を提供することを目的とする。
【００２１】
また，本発明は，上段側の配線接続部に接続された配線ケーブルを固定できるようにして揺動等し難くすることで，配線ケーブルの揺動に伴って生じ得る，上段側配線接続部の出力端子に設けたネジやナット等に緩みが生じること，従って，このような緩みの発生に伴い生じる発熱や，出力端子の破損を防止することができるエンジン駆動型発電機を提供することを目的とする。
【００２２】
更に，本発明は，防音箱の大型化を伴うことなく，比較的簡単な構成により上段側の配線接続部と下段側の配線接続部の双方に同時に配線ケーブルを接続した状態としても，出力端子箱内に両配線ケーブルの配置スペースを確保することができると共に，各配線接続部に対する配線ケーブルの接続状態を容易に確認することができるエンジン駆動型発電機を提供することを目的とする。
【課題を解決するための手段】
【００２３】
以下に，課題を解決するための手段を，発明を実施するための形態で使用する符号と共に記載する。この符号は，特許請求の範囲の記載と，発明を実施するための形態の記載との対応を明らかにするためのものであり，言うまでもなく，本発明の技術的範囲の解釈に制限的に用いられるものではない。
【００２４】
上記目的を達成するために，本発明のエンジン駆動型発電機１は，  
発電機本体Ｇと，該発電機本体Ｇを駆動するエンジン（図示せず）を収容する防音箱２に，該防音箱２の側壁に形成された凹部から成る出力端子箱３を設け，前記出力端子箱３内の上段側に機外に向けて収容された上段側配線接続部８２と，前記出力端子箱３内の下段側に機外に向けて収容された下段側配線接続部５０をそれぞれ前記発電機本体Ｇに接続し，前記上段側配線接続部８２と下段側配線接続部５０を介して機外からの配線ケーブルＤＨ，ＤＬを，前記発電機本体Ｇに接続可能としたエンジン駆動型発電機１において，
前記下段側配線接続部５０の前方，及び／又は前記下段側配線接続部５０の前記前方の僅かに上方の位置において前記出力端子箱３内に水平方向に架設されて，前記上段側配線接続部８２に接続された配線ケーブルＤＨと前記下段側配線接続部５０との間に介設される横架材４０を設けたことを特徴とする（請求項１）。
【００２５】
なお，本発明における「配線ケーブル」には，出力端子箱３内に設けた配線接続部に機外より接続される配線ケーブル全般を含み，負荷に直接接続された配線ケーブルの他，負荷との間に設けた中継器に接続された配線ケーブルのように負荷に対し間接的に接続される配線ケーブルや，アース線等の負荷に接続されない配線ケーブルも含む。
【００２６】
前記上段側配線接続部８２は，これを負荷保護用遮断器とすることができ，前記下段側配線接続部５０は，これを三相出力端子台とすることができる（請求項２）。
【００２７】
前記横架材４０は，これを前記下段側配線接続部５０の前方を覆う，板状の保護カバー４２とすることができる（請求項３）。
【００２８】
また，前記横架材４０は，これを棒状のブラケット４１とするものとしても良い（請求項４）。
【００２９】
好ましくは，前記横架材４０を，板状の保護カバー４２と棒状のブラケット４１により構成し，
前記保護カバー４２を前記下段側配線接続部５０の前方を覆う位置に設けると共に，
前記ブラケット４１を，前記上段側配線接続部８２に接続された配線ケーブルＤＨを前記ブラケット４１に結束する紐や針金等の結束具の通過許容間隔δを介して，前記保護カバー４２の上方に隣接して配置することができる（請求項５）。
【００３０】
前記横架材４０の前記保護カバー４２は，これをアクリル板等で形成してこれを透明なものとすることが好ましい（請求項６）。
【００３１】
本発明のエンジン駆動型発電機１には，更に前記上段側配線接続部８２又は前記下段側配線接続部５０のいずれか一方を選択的に前記発電機本体Ｇに接続する切換器３０を設けることが好ましい（請求項７）。
【００３２】
更に，本発明のエンジン駆動型発電機１には，前記出力端子箱３の下端開口縁３ａ側の所定範囲を除き該出力端子箱３を機外側より覆う開閉扉２０（２１，２２）を設け，前記横架材４０と前記開閉扉２０間に，前記上段側配線接続部８２に接続した配線ケーブルＤＨの挿通路を形成すると共に，前記出力端子箱３の下端開口縁３ａと前記開閉扉２０の下端縁２２ａ間に，前記上段側配線接続部８２に接続された配線ケーブルＤＨと，下段側配線接続部５０に接続された配線ケーブルＤＬに共通の引出口７を形成することができる（請求項８）。
【００３３】
更に，上段側配線接続部８２を負荷保護用遮断器とした構成では，前記負荷保護用遮断器８２に設けた出力端子の合計数に対応する数の端子７１をそれぞれ独立して交換可能に組み合わせて形成した組端子台７０を設け，該組端子台７０を介して前記各負荷保護用遮断器８２に対し配線ケーブルＤＨを接続可能とするものとしても良い（請求項９）。
【発明の効果】
【００３４】
以上で説明した本発明の構成により，本発明のエンジン駆動型発電機１では，以下の顕著な効果を得ることができた。
【００３５】
前記下段側配線接続部５０の前方，及び／又は前記下段側配線接続部５０の前記前方の僅かに上方の位置において出力端子箱３内に水平方向に架設されて，前記上段側配線接続部８２に接続された配線ケーブルＤＨと前記下段側配線接続部５０間に介設される横架材４０を設けたことで，上段側配線接続部８２に接続された配線ケーブルＤＨは，この横架材４０に邪魔されて下段側配線接続部５０と接触することができず，その結果，上段側配線接続部８２に接続された配線ケーブルＤＨが，下段側配線接続部５０と接触して破損することや，この破損に伴う短絡事故等の発生を好適に防止することができた。
【００３６】
しかも，上段側配線接続部８２に接続された配線ケーブルＤＨと，下段側配線接続部５０に接続された配線ケーブルＤＬは，横架材４０を境に，機外側と機内側にそれぞれ分かれて配置されるため，出力端子箱３内に上段側配線接続部８２に接続された配線ケーブルＤＨの配置スペースと，下段側配線接続部５０に接続された配線ケーブルＤＬの配置スペースをそれぞれ別個に確保でき，両配線接続部８２，５０に対し配線ケーブルＤＨ，ＤＬを接続したままの状態で使用することが可能で，使用する負荷の入力形式の変更毎に配線をつなぎ直す煩雑さが解消された。
【００３７】
前記横架材４０を，前記下段側配線接続部５０の前方を覆う板状の保護カバー４２とした構成では，上段側配線接続部８２に接続された配線ケーブルＤＨが，下段側配線接続部５０と接触することを確実に防止することができた。
【００３８】
また，前記横架材４０を，棒状のブラケット４１とすることで，上段側配線接続部８２に接続した配線ケーブルＤＨを，紐や針金等の結束具でブラケット４１に動かないように固定することが容易で，配線ケーブルＤＨが揺れ動いて他部材と接触して破損等することが防止できるだけでなく，配線ケーブルＤＨの振動によって上段側配線接続部８２の出力端子８２ａに設けられているネジやナット等に緩みが発生することを防止して，この緩みに伴って出力端子８２ａ部分で生じる発熱や，出力端子８２ａの損傷の発生を防止することができた。
【００３９】
特に，前記横架材４０を，前述したブラケット４１と保護カバー４２の組み合わせによって構成した場合には，ブラケット４１に対する配線ケーブルＤＨの固定と，下段側配線接続部５０に対する配線ケーブルＤＨの確実な接触防止の双方の効果を同時に得ることができた。
【００４０】
なお，前述したように下段側配線接続部５０の前方を保護カバー４２で覆う構成では，この保護カバー４２をアクリル等の透明な材質によって形成することで，保護カバー４２を取り外すことなく，下段側配線接続部５０に対する配線ケーブルＤＬの接続状態を容易に確認することができた。
【００４１】
前記上段側配線接続部８２又は前記下段側配線接続部５０のいずれか一方を選択的に前記発電機本体Ｇに接続する切換器３０を設けた構成では，切換器３０による切り換え操作のみで，各配線接続部８２，５０に対する発電機本体Ｇの接続状態の切り換えが可能であり，配線をつなぎ直す作業が不要である。
【００４２】
更に，前記出力端子箱３の下端開口縁３ａ側の所定範囲を除き該出力端子箱３の開口部を機外側より覆う開閉扉２０（２１，２２）を設け，前記横架材４０と前記開閉扉２０（２２）間に，前記上段側配線接続部８２に接続した配線ケーブルＤＨの挿通路を形成すると共に，前記出力端子箱３の下端開口縁３ａと前記開閉扉２０（２２）の下端縁２２ａ間に，前記上段側配線接続部８２に接続された配線ケーブルＤＨと，下段側配線接続部５０に接続された配線ケーブルＤＬに共通の引出口７を形成したことで，上段側配線接続部８２に接続された配線ケーブルＤＨと，下段側配線接続部５０に接続された配線ケーブルＤＬのいずれとも，開閉扉２０（２１，２２）により覆った状態で出力端子箱３内に収容することができた。
【００４３】
なお，負荷保護用遮断器８２に設けた出力端子８２ａに対し，頻繁に配線ケーブルＤＨの着脱を行う等して出力端子８２ａを破損させてしまうと，負荷保護用遮断器８２全体の交換が必要となるが，負荷保護用遮断器８２の出力端子８２ａの合計数に対応する数の端子７１をそれぞれ独立して交換可能に組み合わせて形成した組端子台７０を設け，この組端子台７０を介して前記各負荷保護用遮断器８２に対し配線ケーブルＤＨを接続可能とした構成では，頻繁に配線ケーブルＤＨの着脱を行う等して，組端子台７０に設けた端子７１を破損させてしまうことがあったとしても，負荷保護用遮断器８２の出力端子８２ａが破損することを防止できると共に，破損した組端子台７０の端子７１は，それぞれ独立して交換可能であることから，破損した端子７１のみを交換することで，低コストでの修理が可能である。
【図面の簡単な説明】
【００４４】
【図１】本発明のエンジン駆動型発電機の斜視図。
【図２】発電機本体から出力端子迄の配線図。
【図３】本発明の一実施形態におけるエンジン駆動型発電機の出力端子箱部分の（Ａ）は断面図，（Ｂ）は開閉扉を取り外した状態の正面図。
【図４】図３の矢示IV部分の拡大図。
【図５】本発明の別の実施形態におけるエンジン駆動型発電機の出力端子箱部分の（Ａ）は断面図，（Ｂ）は開閉扉を取り外した状態の正面図。
【図６】本発明の更に別の実施形態におけるエンジン駆動型発電機の出力端子箱部分の（Ａ）は断面図，（Ｂ）は開閉扉を取り外した状態の正面図。
【図７】従来のエンジン駆動型発電機に対する負荷の接続状態を示した説明図。
【図８】従来のエンジン駆動型発電機の出力端子箱の説明図。
【図９】分電盤（従来）の説明図。
【図１０】従来のエンジン駆動型発電機の出力端子箱の断面説明図（特許文献２の図５に対応）。
【発明を実施するための形態】
【００４５】
以下に，添付図面を参照しながら本発明のエンジン駆動型発電機１について説明する。
【００４６】
図１において符号１は本発明のエンジン駆動型発電機であり，このエンジン駆動型発電機１は，三相交流発電機である発電機本体Ｇ，該発電機本体Ｇを駆動するエンジン（図示せず）等，エンジン駆動型発電機１の構成機器を収容する防音箱２を備えている。
【００４７】
この防音箱２のいずれかの側壁には，防音箱２の内部側に向かって陥没する凹部を形成し，この凹部内に，後述する上段側配線接続部８２や下段側配線接続部５０と成す負荷保護用遮断器や出力端子台を収容する出力端子箱３が形成されている。
【００４８】
本実施形態では，図３（Ａ）に示すように防音箱２の側壁に窓６（６ａ，６ｂ）を形成し，この窓６（６ａ，６ｂ）の裏側に，窓６（６ａ，６ｂ）に向かって開口する箱体を取り付けることで，防音箱２の側壁に，機内側に向かって陥没する凹部である出力端子箱３を形成している。
【００４９】
図示の実施形態では，防音箱２の側壁の上下方向に２つの窓６ａ，６ｂを並べて形成し，これらの窓６ａ，６ｂの裏側に，２つの窓６ａ，６ｂに共通の単一の箱体を取り付けて出力端子箱３としたが，この構成に限定されず，単一の窓の裏側に箱体を取り付けて出力端子箱３を形成するものとしても良い。
【００５０】
そして，出力端子箱３内の空間中，上段側の窓６ａの内側部分を上段側収容部３ｘ，下段側の窓６ｂの内側部分を下段側収容部３ｙとし，このうちの上段側収容部３ｘに発電機本体Ｇの出力を分配出力するために複数水平方向に並べて配置された負荷保護用遮断器を上段側配線接続部８２として収容し，下段側収容部３ｙに，発電機本体Ｇからの出力を分配されていない単一の出力として取り出すための三相出力端子５１を備えた三相出力端子台を下段側配線接続部５０として収容している。
【００５１】
図２に示すように，防音箱２内に収容された発電機本体Ｇに発電機保護用遮断器６０を介して接続された出力回路は，これを分岐して，分岐された一方の回路Ｃ１を前述の三相出力端子台５０に設けた三相出力端子５１に接続すると共に，他方の回路Ｃ２より分岐された分岐回路Ｃ２１〜Ｃ２３のそれぞれに負荷保護用遮断器８２を接続して，各負荷保護用遮断器８２に設けた三相出力端子８２ａに負荷を接続することで，複数の負荷（Ｌ１〜Ｌ３）に対して分配された給電を行うことができるように構成されている。
【００５２】
三相出力端子台５０を介した出力と，負荷保護用遮断器８２を介した出力は，これを同時に行うことができるようにしても良いが，本実施形態にあっては，発電機本体Ｇからの出力回路を切換器３０によって分岐し，分岐した一方の回路Ｃ１を三相出力端子台５０に，他方の回路Ｃ２を負荷保護用遮断器８２に接続することで，切換器３０の操作によって発電機本体Ｇの出力を，単一出力用の三相出力端子５１，又は分配給電用の負荷保護用遮断器８２に設けられた三相出力端子８２ａのいずれかを介して選択的に取り出すことができるように構成されている。
【００５３】
この場合，前述した切換器３０についても前述した出力端子箱３内，一例として上段側配線接続部である負荷保護用遮断器８２と共に上段側収容部３ｘに収容し〔図５（Ｂ）及び図６（Ｂ）参照〕，切換器３０の操作によって出力形式を選択できるようにしても良い。
【００５４】
なお，負荷保護用遮断器８２に対する配線ケーブルＤＨの接続は，図３及び図５に示すように，各負荷保護用遮断器８２に設けた出力端子８２ａに対し直接，配線ケーブルＤＨを接続するものとしても良いが，この構成に代え，図６に示すように，組端子台７０を設け，この組端子台７０に設けた各端子７１を介して各負荷保護用遮断器８２の出力端子８２ａと配線ケーブルＤＨを接続するものとしても良い。
【００５５】
負荷保護用遮断器８２に設けられている出力端子８２ａを破損させてしまった場合，負荷保護用遮断器８２を全体として交換する必要があるが，それぞれ独立して交換可能な端子７１を必要数組み付けて形成された前述の組端子台７０を介して配線ケーブルＤＨを接続することで，配線ケーブルＤＨを頻繁に着脱する等して組端子台７０のいずれかの端子７１が破損しても，破損した端子７１のみの交換で組端子台７０を修理することができるため，低コストでの修理が可能となる。
【００５６】
前述した上段側収容部３ｘに対する上段側配線接続部（負荷保護用遮断器）８２の取り付けと，下段側収容部３ｙに対する下段側配線接続部（三相出力端子台）５０の取り付けは，これらをいずれも機外側に向けて取り付けるものであれば，いずれも同一の垂直平面上，例えば，出力端子箱３の奥行を成す壁面に対し行うものとしても良いが，一例として図３（Ａ），図５（Ａ）及び図６（Ａ）に示す実施形態では，上段側収容部３ｘに対する上段側配線接続部（負荷保護用遮断器）８２の取り付けは，出力端子箱３の奥行を成す壁面に直接取り付けているが，下段側収容部３ｙに対する下段側配線接続部（三相出力端子台）５０の取り付けは，下段側収容部３ｙに設けた取付台３ｂに取り付けている。
【００５７】
このように取付台３ｂに三相出力端子台５０を取り付けることで，前記取付台３ｂ内に形成された空間３ｃに，三相出力端子台５０の背面に設けた三相入力端子５２を収容することができ（図４参照），この空間３ｃ内で三相出力端子台５０に発電機本体Ｇの出力回路より分岐された分岐回路Ｃ１を接続することができるように構成している。
【００５８】
前述した下段側配線接続部（三相出力端子台）５０の前方，及び／又は下段側配線接続部（三相出力端子台）５０の前記前方に対し僅かに上方の位置には，出力端子箱３内に水平方向に架設された横架材４０が設けられており（図４参照），上段側配線接続部８２に接続された配線ケーブルＤＨを，この横架材４０の上方位置で機外側に引き出すことで，上段側配線接続部８２からの配線ケーブルＤＨと，下段側配線接続部５０との間にこの横架材４０を介設させることで両者の接触が防止されている。
【００５９】
本実施形態では，前述した横架材４０を，下段側配線接続部５０の前方を覆う板状の保護カバー４２と，該保護カバー４２の上方に，紐や針金等の結束具の挿入許容間隔δを介して隣接して配置された棒状のブラケット４１の組み合わせによって構成しているが，この横架材４０として，前述したブラケット４１又は保護カバー４２のいずれか一方のみを設ける構成としても良い。
【００６０】
前述したように２つの窓６ａ，６ｂの裏側に箱体を取り付けて出力端子箱３を形成した図示の実施形態では，前述のブラケット４１と下段側の窓６ｂの上端縁との間に，図３（Ｂ）中に斜線で示したように，上段側配線接続部８２に接続した配線ケーブルＤＨを，上段側収容部３ｘから下段側収容部３ｙに導入するための開口部８が形成されている。
【００６１】
このように構成することで，前述した開口部８より引き出された配線ケーブルＤＨは，ブラケット４１及び保護カバー４２から成る横架材４０に邪魔されて，下段側配線接続部５０と接触することが無い。
【００６２】
しかも，ブラケット４１は棒状であること，保護カバー４２の上方に結束具の挿入許容間隔δを介して配置されていることから，上段側配線接続部８２に接続された配線ケーブルＤＨを，紐や針金等の結束具でブラケット４１に縛り付けて固定することが容易である。
【００６３】
なお，前述の保護カバー４２は，下段側配線接続部５０に対し，上段側配線接続部８２に接続された配線ケーブルＤＨが接触することを防止し得るものであれば，各種材質，各種形状のものを使用可能であるが，好ましくは保護カバー４２をアクリル板等の透明板によって形成し，これにより，保護カバー４２を取り外すことなく，保護カバー４２で覆われた下段側配線接続部５０に対する配線の接続状態を目視によって確認することができるようにする。
【００６４】
前述の上段側窓６ａと下段側窓６ｂには，これを開閉する扉２０を設けることができ，上記２つの窓６ａ，６ｂは，両者に共通の単一の扉（図示せず）で開閉できるようにしても良いが，本実施形態では，上段側窓６ａを開閉する上段側開閉扉２１と，下段側窓６ｂを開閉する下段側開閉扉２２をそれぞれ別個に設け，各窓６ａ，６ｂを独立して開閉することができるようにした。
【００６５】
本実施形態において，前述の上段側開閉扉２１は，垂直方向の一辺が防音箱２にヒンジ止めされて水平方向に回動可能に構成されている。
【００６６】
この上段側開閉扉２１の中央には，ガラス板やアクリル板等の透明板をはめ込んで，内部を覗き込むことができるように構成しても良く（図１参照），これにより上段側収容部３ｘに収容された切換器３０や負荷保護用遮断器８２に設けられているスイッチの切換位置や，負荷保護用遮断器８２に対する配線ケーブルＤＨの接続状態等を，上段側開閉扉２１を開けることなく確認することができるように構成しても良い。
【００６７】
また，前述の下段側開閉扉２２〔図３（Ａ）参照〕は，本実施形態において上端の一辺をヒンジ止めされて垂直方向に回動可能に構成されており，下段側開閉扉２２によって下段側窓６ｂを閉じた際，ブラケット４１及び保護カバー４２から成る横架材４０と下段側開閉扉２２の内壁面間に，上段側配線接続部８２に接続した配線ケーブルＤＨの通過を許容する間隔が形成されるように構成されている。
【００６８】
この下段側開閉扉２２は，その下端２２ａが出力端子箱３の下端開口縁３ａに対して所定の高い位置となるように形成されており，この下段側開閉扉２２の下端２２ａと，出力端子箱３の下端開口縁３ａとの間に形成された間隔によって，配線ケーブルＤＨ，ＤＬの引き出しスペースとなる引出口７が形成されている。
【００６９】
従って，この引出口７を介して，前述した開口部８，ブラケット４１及び保護カバー４２と下段側開閉扉２２間に形成された間隔を介して下方に延設された，上段側配線接続部８２に接続された配線ケーブルＤＨと，下段側配線設接続部５０に接続されて下方に延設された配線ケーブルＤＬのいずれともに，機外に取り出すことができるように構成されている。
【００７０】
以上のように構成された本発明のエンジン駆動型発電機１では，出力端子箱３内に設けた横架材４０（本実施形態においてブラケット４１と保護カバー４２）により，上段側配線接続部８２に接続された配線ケーブルＤＨをこの横架材４０の機外側に配置することで，配線ケーブルＤＨが下段側配線接続部５０と接触することが防止され，短絡事故の発生が防止される。
【００７１】
特に，前記横架材４０が，棒状のブラケット４１を備える構成では，このブラケット４１に対し，上段側配線接続部８２に接続した配線ケーブルＤＨを紐や針金，その他の結束具を使用して固定することで，配線ケーブルＤＨが揺動することで上段側配線接続部８２に設けた出力端子８２ａに設けたネジ等に緩みが生じることを防止でき，このような緩みに伴い出力端子８２ａ部分で生じる発熱や，出力端子８２ａの損傷の発生を防止することができる。
【００７２】
また，出力端子箱３内に，上段側配線接続部８２に接続された配線ケーブルＤＨが収容される空間と，下段側配線接続部５０に接続された配線ケーブルＤＬが収容される空間とがそれぞれ形成されることにより，各配線接続部８２，５０に配線ケーブルＤＨ，ＤＬをつないだままの状態としておくことも可能である。
【００７３】
特に，上段配線接続部８２と下段配線接続部５０とを選択的に発電機本体Ｇに接続する切換器３０を設けた構成では，切換器３０による切換操作のみで配線の繋ぎ直しをすることなく，使用する負荷の切り換えが可能である。
【００７４】
なお，図３（Ｂ）に示した実施形態では，上段側配線接続部８２と下段側配線接続部５０を，上下に重なる位置に配置しているが，図５（Ｂ）及び図６（Ｂ）に示すように，出力端子箱３の幅に余裕がある場合，上段側配線接続部８２と下段側配線接続部５０を，好ましく出力端子箱３の幅の範囲内で左右に位置をずらせて配置して，上下方向における重なりが可及的に少なくなる，又は重ならないように配置することが好ましい。
【００７５】
このように配置することで，上段側配線接続部８２に接続された配線ケーブルＤＨと，下段側配線接続部５０に接続された配線ケーブルＤＬも左右に分かれて配置されることで，両者の接触を防止できると共に，配線ケーブルの接続状態の確認等が行い易くなる。
【符号の説明】
【００７６】
１  エンジン駆動型発電機
２  防音箱
３  出力端子箱
３ａ  下端開口縁（出力端子箱の）
３ｂ  取付台
３ｃ  空間
３ｘ  上段側収容部
３ｙ  下段側収容部
６  窓
６ａ  上段側窓
６ｂ  下段側窓
７  引出口
８  開口部
２０  開閉扉
２１  上段側開閉扉
２２  下段側開閉扉
２２ａ  下端縁（下段側開閉扉の）
３０  切換器
４０  横架材
４１  ブラケット
４２  保護カバー
５０  三相出力端子台（下段側配線接続部）
５１  三相出力端子（三相出力端子台の）
５２  三相入力端子（三相出力端子台の）
６０  発電機保護用遮断器
７０  組端子台
７１  端子
８２  負荷保護用遮断器（上段側配線接続部）
８２ａ  三相出力端子（負荷保護用遮断器の）
１００ エンジン駆動型発電機
１０２  防音箱
１０３  出力端子箱
１０３ａ  下端縁（出力端子箱の）
１０３ｘ  上段側収容部
１０３ｙ  下段側収容部
１０３ｚ  段部
１０７  引出口
１５０  三相出力端子台
１５１  三相出力端子（三相出力端子台の）
１８０  分電盤
１８１  主遮断器
１８１ａ  三相入力端子
１８２  負荷保護用遮断器
１８２ａ  三相出力端子
１９０  分電盤スタンド
Ｇ  発電機本体
Ｃ１，Ｃ２，Ｃ２１〜Ｃ２３  分岐回路
Ｌ１〜Ｌ３  負荷（水中ポンプ）
Ｄ  配線ケーブル
ＤＨ  配線ケーブル（上段側配線接続部に接続された）
ＤＬ  配線ケーブル（下段側配線接続部に接続された）
δ  結束具の挿入許容間隔
【図１】
2020120557.tif 000003
【図２】
2020120557.tif 000004
【図３】
2020120557.tif 000005
【図４】
2020120557.tif 000006
【図５】
2020120557.tif 000007
【図６】
2020120557.tif 000008
【図７】
2020120557.tif 000009
【図８】
2020120557.tif 000010
【図９】
2020120557.tif 000011
【図１０】
2020120557.tif 000012